(57)【特許請求の範囲】
【請求項１】
ｈｒアレルと、Ｂ細胞欠損およびＴ細胞欠損の両方とを有する無毛の免疫不全マウスであって、該マウスは、劣性ｈｒアレルについてホモ接合性（Ｈｒｈｒ）であり、劣性ｓｃｉｄアレルについてホモ接合性（Ｐｒｋｄｃｓｃｉｄ）であり、それによってＢリンパ球前駆細胞およびＴリンパ球前駆細胞の両方の分化が中断される、マウス。
【請求項２】
劣性ベージュアレルについてもホモ接合性（Ｌｙｓｔｂｇ）である、請求項１に記載のマウス。
【請求項３】
生後は毛を有しているが、次いで生後一ヶ月以内に毛を喪失する、請求項１または２に記載のマウス。
【請求項４】
無毛の免疫不全マウスの作製方法であって、該方法は、
（ａ）劣性ｈｒアレルについてホモ接合性の第一のマウス系統と、劣性ｓｃｉｄアレルについてホモ接合性の第二の異なるマウス系統とを交配させて、該ｈｒアレルおよび該ｓｃｉｄアレルの両方についてヘテロ接合性の子孫を産生する工程、
（ｂ）工程（ａ）によって産生された該ヘテロ接合性の子孫を異種交配する工程、
（ｃ）該ｈｒアレルについてホモ接合性の、工程（ｂ）によって産生された無毛の子孫を選択する工程、および
（ｄ）該ｓｃｉｄアレルについてホモ接合性またはヘテロ接合性の無毛マウスを異種交配して、該ｈｒアレルおよび該ｓｃｉｄアレルの両方についてホモ接合性の子孫を得る工程
を包含する、方法。
【請求項５】
工程（ｃ）において選択された前記無毛の子孫における前記ｓｃｉｄアレルの接合性を決定する工程をさらに包含する、請求項４に記載の方法。
【請求項６】
前記ｓｃｉｄの接合性は、遺伝子検査によって決定される、請求項５に記載の方法。
【請求項７】
工程（ａ）において、前記第一のマウス系統がＣｒｌ：ＳＫＨ１−Ｈｒｈｒマウスである、請求項４〜６のいずれか１項に記載の方法。
【請求項８】
工程（ａ）において、前記第二のマウス系統が、Ｃｒｌ：ＨＡ−Ｐｒｋｄｃｓｃｉｄマウスである、請求項４〜７のいずれか１項に記載の方法。
【請求項９】
工程（ｄ）の後に、前記子孫が劣性ｈｒアレルについてホモ接合性であり、かつ前記劣性ｓｃｉｄアレルについてホモ接合性であることを確認する工程をさらに包含する、請求項４〜８のいずれか１項に記載の方法。
【請求項１０】
請求項１〜３のいずれか１項に記載のマウスのコロニー。
【請求項１１】
請求項４〜９のいずれか１項に記載の方法によって産生されたマウスのコロニー。
【発明の詳細な説明】
【技術分野】
【０００１】
（関連出願）
本願は、２００８年３月１３日に出願された米国出願第１２／０４７，９４８号に対する優先権を主張する。米国出願第１２／０４７，９４８号は、その全体が本明細書中に参考として援用される。
【０００２】
（発明の分野）
本発明の分野は、医学的研究、免疫学および腫瘍学であり、特に、マウスモデルの開発にある。
【背景技術】
【０００３】
（背景）
免疫不全マウスモデルは、医学的研究、特に腫瘍学および免疫学の研究において有用である。なぜなら、免疫不全レシピエントマウスは、異種移植片と呼ばれる外来の組織移植物および腫瘍移植物を、その外来の組織または腫瘍を拒絶する免疫応答を惹起することなく、受け入れることができるからである。異種移植片研究において最も一般的に使用される免疫不全マウスモデルは、胸腺欠損ヌードマウスである。劣性Ｆｏｘｎ１ｎｕ変異についてホモ接合性のヌードマウスは、Ｔ細胞欠損性（それゆえ、免疫不全）であり、そして被毛を欠く。しかしながら、このＦｏｘｎ１ｎｕ変異についてヘテロ接合性のヌードマウスは、免疫応答性であり、通常の被毛を有する。別の一般的に使用されている免疫不全マウスモデルは、ＮＩＨ  ＩＩＩマウスモデルとして知られており、このマウスはＴ細胞、Ｂ細胞およびナチュラルキラー細胞欠損性である。
【０００４】
ヌードマウスの交配は、特定の課題を提示する。ホモ接合性の雌性ヌードマウスは、不規則な発情周期に起因する乏しい繁殖能力、および生存できない子をもたらす制限された授乳能のため、交配に使用することはできない。したがって、ヌードマウスについての標準的な交配実務は、ホモ接合性の雄とヘテロ接合性の雌とを交配させることである。生じる子の２分の１は、劣性Ｆｏｘｎ１ｎｕ変異についてホモ接合性であり、そしてそれゆえ免疫不全で、被毛を欠く。子の他の２分の１は、劣性Ｆｏｘｎ１ｎｕ変異についてヘテロ接合性であり、そしてそれゆえ免疫応答性であり、毛を有する。したがって、このヌードマウスの標準的な交配実務によって産生される動物の半分は、異種移植片研究の免疫不全性の要求に適合せず、それゆえこれらの研究には使用不可能である。類似の交配の課題が、ＮＩＨ  ＩＩＩマウスについても存在する。したがって、胸腺欠損ヌードマウスおよびＮＩＨ  ＩＩＩマウスの交配は、子孫の２分の１は一般的に医学的研究には使用されないので、不十分である。
【発明の概要】
【発明が解決しようとする課題】
【０００５】
その結果、免疫不全マウスの産生のための効率的な交配プロトコールに対する必要性が残っている。
【課題を解決するための手段】
【０００６】
（要旨）
本発明は、部分的に、劣性の無毛ｈｒアレルについてホモ接合性（Ｈｒｈｒ）のマウスが、Ｂリンパ球前駆細胞およびＴリンパ球前駆細胞の両方の分化を中断する変異についてホモ接合性の免疫不全マウスと交配され得、無毛アレルと、Ｂ細胞欠損およびＴ細胞欠損を生じる変異との両方についてホモ接合性の無毛免疫不全マウスを産生し得るという発見に基づく。本明細書中に記載の無毛の免疫不全マウスは、上記胸腺欠損マウスモデルおよびＮＩＨ  ＩＩＩマウスモデルを超える利点を提示する。なぜなら、これらのマウスは、ホモ接合性の交配ペアとして維持され得るからである。結果として、これらの交配ペアに由来する全ての子孫が、異種移植片研究に使用され得、それゆえ異種移植片研究に使用することができない動物の数が顕著に減少される。加えて、本明細書中に記載の無毛の免疫不全マウスはＢ細胞欠損およびＴ細胞欠損の両方を含み、それゆえ胸腺欠損ヌードマウスよりもより重度に免疫不全である。このことは、生着パーセンテージの上昇、腫瘍の成長速度の増加、および腫瘍退縮の減少をもたらす。無毛のマウスは、通常は触診の必要性なく異種移植片が視覚的に同定され得るので、特に有用である。対照的に、動物が被毛を有する場合には、異種移植片は通常触れることによって同定される必要がある。
【０００７】
本発明は、劣性ｈｒアレルについてホモ接合性（Ｈｒｈｒ）であり、そしてＢリンパ球前駆細胞およびＴリンパ球前駆細胞の両方の分化を中断する変異をさらに含む、無毛の免疫不全マウスを開示する。特定の実施形態において、上記無毛の免疫不全マウスは、Ｂリンパ球前駆細胞およびＴリンパ球前駆細胞の両方の分化を中断する変異について、ホモ接合性である。例示的な無毛の免疫不全マウスは、劣性ｓｃｉｄアレルについてホモ接合性（Ｐｒｋｄｃｓｃｉｄ）のマウスである。他の例示的な無毛の免疫不全マウスは、劣性ベージュアレルについてホモ接合性（Ｌｙｓｔｂｇ）であるか、または変異Ｒａｇアレルについてホモ接合性である。
【０００８】
本発明はまた、無毛の免疫不全マウスの作製方法を提供し、この方法は、劣性無毛（ｈｒ）アレルについてホモ接合性（Ｈｒｈｒ）の第一のマウス系統と、Ｂリンパ球前駆細胞およびＴリンパ球前駆細胞の両方の分化を中断する変異についてホモ接合性の第二の異なるマウス系統とを交配する工程を包含する。Ｆ１交配に由来する子孫は、上記ｈｒアレルと、Ｂリンパ球前駆細胞およびＴリンパ球前駆細胞の両方の分化を中断する変異との両方について、ヘテロ接合性である。このヘテロ接合性の子孫が、次いで異種交配され、ｈｒホモ接合性の子孫が選択される。この第一の異種交配に由来する無毛のｈｒホモ接合性子孫は、Ｂリンパ球前駆細胞およびＴリンパ球前駆細胞の両方の分化を中断する変異について、ホモ接合性またはヘテロ接合性のいずれかであり、そして異種交配されて、上記ｈｒアレルと、Ｂリンパ球前駆細胞およびＴリンパ球前駆細胞の両方の分化を中断する変異との両方においてホモ接合性の子孫を得る。両方の変異におけるホモ接合性は、当該分野で周知の遺伝子検査法によって確認され得る。
【０００９】
本発明はまた、以下の項目を提供する。
（項目１）
ｈｒアレルと、Ｂ細胞欠損およびＴ細胞欠損の両方とを有する無毛の免疫不全マウスであって、該マウスは、劣性ｈｒアレルについてホモ接合性（Ｈｒｈｒ）であり、そしてＢリンパ球前駆細胞およびＴリンパ球前駆細胞の両方の分化を中断する変異をさらに含む、マウス。
（項目２）
劣性ｓｃｉｄアレルについてホモ接合性（Ｐｒｋｄｃｓｃｉｄ）である、項目１に記載のマウス。
（項目３）
変異Ｒａｇアレルについてホモ接合性である、項目１に記載のマウス。
（項目４）
Ｒａｇ１変異についてホモ接合性である、項目３に記載のマウス。
（項目５）
Ｒａｇ２変異についてホモ接合性である、項目３に記載のマウス。
（項目６）
生後は毛を有しているが、次いで生後一ヶ月以内に毛を喪失する、項目１〜５のいずれか１項に記載のマウス。
（項目７）
無毛の免疫不全マウスの作製方法であって、該方法は、
（ａ）劣性ｈｒアレルについてホモ接合性の第一のマウス系統と、劣性ｓｃｉｄアレルについてホモ接合性の第二の異なるマウス系統とを交配させて、該ｈｒアレルおよび該ｓｃｉｄアレルの両方についてヘテロ接合性の子孫を産生する工程、
（ｂ）工程（ａ）によって産生された該ヘテロ接合性の子孫を異種交配する工程、
（ｃ）該ｈｒアレルについてホモ接合性の、工程（ｂ）によって産生された無毛の子孫を選択する工程、および
（ｄ）該ｓｃｉｄアレルについてホモ接合性またはヘテロ接合性の無毛マウスを異種交配して、該ｈｒアレルおよび該ｓｃｉｄアレルの両方についてホモ接合性の子孫を得る工程
を包含する、方法。
（項目８）
工程（ｃ）において選択された上記無毛の子孫における上記ｓｃｉｄアレルの接合性を決定する工程をさらに包含する、項目７に記載の方法。
（項目９）
上記ｓｃｉｄの接合性は、遺伝子検査によって決定される、項目８に記載の方法。
（項目１０）
工程（ａ）において、上記第一のマウス系統がＣｒｌ：ＳＫＨ１−Ｈｒｈｒマウスである、項目７〜９のいずれか１項に記載の方法。
（項目１１）
工程（ａ）において、上記第二のマウス系統が、Ｃｒｌ：ＨＡ−Ｐｒｋｄｃｓｃｉｄマウスである、項目７〜１０のいずれか１項に記載の方法。
（項目１２）
工程（ｄ）の後に、上記子孫が劣性ｈｒアレルについてホモ接合性であり、かつ上記劣性ｓｃｉｄアレルについてホモ接合性であることを確認する工程をさらに包含する、項目７〜１１のいずれか１項に記載の方法。
（項目１３）
項目１〜６のいずれか１項に記載のマウスのコロニー。
（項目１４）
項目７〜１２のいずれか１項に記載の方法によって産生されたマウスのコロニー。
本発明のこれらおよび他の側面、ならびに利点は、以下の詳細な説明および特許請求の範囲を考慮すると明らかになる。
【発明を実施するための形態】
【００１０】
（詳細な説明）
本発明は、劣性ｈｒアレルについてホモ接合性（Ｈｒｈｒ）であり、そしてＢリンパ球前駆細胞およびＴリンパ球前駆細胞の両方の分化を中断する変異をさらに含む、無毛の免疫不全マウスを開示する。本明細書中に記載の無毛の免疫不全マウスは、上記胸腺欠損マウスモデルおよびＮＩＨ  ＩＩＩマウスモデルを超える顕著な利点を提示する。なぜなら、これらは、ホモ接合性の交配ペアを使用して維持され得るからである。結果として、このホモ接合性交配ペアから得られる全ての子孫は無毛であり、そしてＢ細胞欠損およびＴ細胞欠損の両方を含む。無毛の免疫不全マウスコロニーを交配および維持することができることは、産生されるが、その意図された目的である医学的研究においては使用不可能な動物の数を顕著に減少させる。さらに、本明細書中に記載の無毛の免疫不全マウスモデルは、胸腺欠損ヌードマウスよりもより重度に免疫不全である。本発明のマウスモデルのより重度の免疫不全性は、異種腫瘍株のよりよい成長を可能にする。さらに、無毛マウスはまた、皮膚および皮下の組織移植片および腫瘍移植片の迅速な評価もまた可能にする。
【００１１】
１つの局面において、本発明は、無毛（ｈｒ）アレルを有し、Ｂリンパ球前駆細胞およびＴリンパ球前駆細胞の両方の分化を中断する変異をさらに含む、無毛の免疫不全マウスを提供する。特定の実施形態において、Ｂリンパ球前駆細胞およびＴリンパ球前駆細胞の両方の分化を中断する変異は、ホモ接合性変異である。
【００１２】
１つの実施形態において、上記無毛の免疫不全マウスは、劣性ｈｒアレルについてホモ接合性（Ｈｒｈｒ）であり、かつ劣性ｓｃｉｄアレルについてホモ接合性（Ｐｒｋｄｃｓｃｉｄ）である。無毛アレルおよびｓｃｉｄアレルの両方についてホモ接合性のマウスは、無毛、Ｂ細胞欠損およびＴ細胞欠損と、表現型によって特徴付けされる。無毛のｓｃｉｄマウスはさらに、正常なナチュラルキラー細胞、マクロファージおよび顆粒球を維持し、そしてリンパ節および胸腺を有すると特徴付けされる。特定の状況下では、劣性ベージュアレルについてもホモ接合性（Ｌｙｓｔｂｇ）の、劣性ｈｒアレルについてホモ接合性（Ｈｒｈｒ）であり、かつ劣性ｓｃｉｄアレルについてホモ接合性（Ｐｒｋｄｃｓｃｉｄ）であるマウスを産生することが所望される。無毛アレル、ｓｃｉｄアレルおよびベージュアレルについてホモ接合性のマウスは、無毛、Ｂ細胞欠損、Ｔ細胞欠損、不完全な顆粒球を有する、およびナチュラルキラー細胞の低減した活性と重度の欠損とを有する、との表現型によって特徴付けられる。
【００１３】
別の実施形態において、上記無毛の免疫不全マウスは、劣性ｈｒアレルについてホモ接合性（Ｈｒｈｒ）であり、かつ変異Ｒａｇアレルについてホモ接合性である。この変異Ｒａｇアレルは、変異Ｒａｇ１アレルまたは変異Ｒａｇ２アレルであり得る。この変異Ｒａｇ１アレルおよび変異Ｒａｇ２アレルは、ホモ接合性変異であり得、そしてＲａｇ遺伝子座のいずれかまたは両方における標的化ヌル変異についてホモ接合性であり得る。無毛アレルおよび変異Ｒａｇアレルの両方についてホモ接合性のマウスは、無毛、Ｂ細胞欠損およびＴ細胞欠損、との表現型によって特徴付けられる。
【００１４】
別の実施形態において、本発明は、無毛の免疫不全マウスを産生するための方法を提供する。この方法は、（ａ）劣性ｈｒアレルについてホモ接合性の第一のマウス系統と、Ｂリンパ球前駆細胞およびＴリンパ球前駆細胞の両方の分化を中断する変異についてホモ接合性の第二の異なるマウス系統とを交配させて、両方の変異についてヘテロ接合性の子孫を産生する工程、（ｂ）工程（ａ）によって産生されたそのヘテロ接合性の子孫を異種交配する工程、（ｃ）そのｈｒアレルについてホモ接合性の、工程（ｂ）によって産生された無毛の子孫を選択する工程、および（ｄ）Ｂ細胞欠損およびＴ細胞欠損をもたらす変異についてホモ接合性またはヘテロ接合性の無毛マウスを異種交配して、両方の変異についてホモ接合性の子孫を得る工程、を包含する。
【００１５】
上記劣性のｈｒアレルについてホモ接合性の無毛の子孫は、表現型による特徴付けに基づいて選択され得る。ｈｒアレルについてホモ接合性のマウスは、生後被毛を発達させるが、生後１ヶ月以内、例えば生後約２０日以内、生後約２５日以内、または生後約３０日（約１ヶ月）以内に、その被毛を失う。上記劣性ｈｒアレルについてホモ接合性のマウスは、離乳前または離乳時、または生後１ヶ月以内に、その被毛の喪失に基づいて選択され得る。劣性ｈｒアレルについてヘテロ接合性のマウスは、その被毛を喪失しない。劣性ｈｒアレルについてホモ接合性の無毛の子孫はまた、当該分野で周知の遺伝子検査法（例えば、尾部生検（ｔａｉｌ  ｂｉｏｐｓｙ）およびイヤークリップ（ｅａｒ  ｃｌｉｐｐｉｎｇ）を含む）によって選択され得る。
【００１６】
いくつかの実施形態において、無毛の免疫不全マウスを産生するための方法は、工程（ｃ）において選択された無毛の子孫において、Ｂリンパ球前駆細胞およびＴ細胞前駆細胞の両方の分化を中断する変異の接合性を決定する工程をさらに包含し得る。Ｂ細胞欠損およびＴ細胞欠損の両方をもたらす変異の接合性は、当該分野で周知の遺伝子検査法（例えば、尾部生検およびイヤークリップを含む）によって決定され得る。
【００１７】
別の実施形態において、無毛の免疫不全マウスを産生するための方法は、工程（ｄ）の後に、子孫が劣性ｈｒアレルについてホモ接合性であり、かつＢリンパ球前駆細胞およびＴリンパ球前駆細胞の両方の分化を中断する変異についてホモ接合性であることを確認する工程をさらに包含し得る。両方の変異の接合性は、当該分野で周知の遺伝子検査法（例えば、尾部生検およびイヤークリップを含む）によって確認され得る。
【００１８】
本発明の無毛の免疫不全マウスを産生するのに使用され得る例示的な無毛マウスは、劣性ｈｒアレルについてホモ接合性であり、そして胸腺を正常に持ち、かつ免疫応答性と特徴付けられる。本明細書中に記載の無毛モデルの作製において有用なそのようなマウスの１つは、Ｃｈａｒｌｅｓ  Ｒｉｖｅｒ  Ｌａｂｏｒａｔｏｒｉｅｓ，Ｗｉｌｍｉｎｇｔｏｎ，ＭＡから入手され得るＣｒｌ：ＳＫＨ１−Ｈｒｈｒマウス系統である。
【００１９】
本発明の免疫不全マウスの産生に使用され得る、Ｂリンパ球前駆細胞およびＴリンパ球前駆細胞の両方の分化を中断する１以上の変異を有する例示的なマウスは、ｓｃｉｄアレル、ベージュアレルおよびＲａｇアレルにおいて１または複数の変異を有するマウスを含む。このｓｃｉｄアレル、ベージュアレルおよびＲａｇアレルにおいて１または複数の変異を有するマウスは、近交系統として維持されてもよいし、または非近交系統として維持されてもよい。
【００２０】
１つの実施形態において、Ｂリンパ球前駆細胞およびＴリンパ球前駆細胞の両方の分化を中断する変異についてホモ接合性の上記第二のマウス系統は、劣性ｓｃｉｄアレルについてホモ接合性（Ｐｒｋｄｃｓｃｉｄ）のマウス系統である。ｓｃｉｄマウスは、Ｐｒｋｄｃ遺伝子に常染色体劣性変異を有し、Ｂリンパ球前駆細胞およびＴリンパ球前駆細胞の分化を中断する重度の複合免疫不全を有すると特徴付けされる。ｓｃｉｄマウスは、樹状Ｔｈｙ−１＋表皮細胞を欠き、この欠損により、そのマウスは、抗体を産生すること、そして同種および異種の組織および腫瘍移植片を拒絶することができなくなる。ｓｃｉｄマウスはさらに、正常なナチュラルキラー細胞、マクロファージ、および顆粒球を維持し、そしてリンパ節および胸腺を有すると特徴付けされる。ｓｃｉｄマウス、例えばＣｒｌ：ＨＡ−Ｐｒｋｄｃｓｃｉｄマウス系統は、Ｃｈａｒｌｅｓ  Ｒｉｖｅｒ  Ｌａｂｏｒａｔｏｒｉｅｓ，Ｗｉｌｍｉｎｇｔｏｎ，ＭＡから入手され得る。別の実施形態において、劣性ｓｃｉｄアレルについてホモ接合性のマウス系統は、さらに、劣性ベージュアレルについてホモ接合性（Ｌｙｓｔｂｇ）である。ＳＣＩＤベージュマウスは、Ｐｒｋｄｃ遺伝子およびＬｙｓｔ遺伝子の両方に常染色体劣性変異を有する。機能的Ｂリンパ球およびＴリンパ球を欠くことに加えて、ベージュマウスはまた、ナチュラルキラー（ＮＫ）細胞も欠き、Ｂ細胞欠損、Ｔ細胞欠損、およびＮＫ細胞欠損と特徴付けられる。ベージュマウス、例えば、ＣＢ１７．Ｂ６−ＰｒｋｄｃｓｃｉｄＬｙｓｔｂｇマウス系統は、Ｃｈａｒｌｅｓ  Ｒｉｖｅｒ  Ｌａｂｏｒａｔｏｒｉｅｓ，Ｗｉｌｍｉｎｇｔｏｎ，ＭＡから入手され得る。
【００２１】
別の実施形態において、Ｂ細胞リンパ球前駆細胞およびＴ細胞リンパ球前駆細胞の両方の分化を中断する変異についてホモ接合性の第二のマウス系統は、変異Ｒａｇアレルについてホモ接合性のマウス系統である。この変異Ｒａｇアレルは、変異Ｒａｇ１アレルまたは変異Ｒａｇ２アレルであり得る。このＲａｇ１または２変異は、Ｒａｇ１または２アレルにおける標的化ヌル変異であり得る。この変異Ｒａｇ１または２アレルは、変異についてホモ接合性であり得、これらのマウスは成熟Ｔ細胞またはＢ細胞を産生しない。変異Ｒａｇ１表現型は、「漏洩しない（ｎｏｎ−ｌｅａｋｙ）」重度の複合免疫不全と記載され得る。なぜなら、これらは、非常に少数のＢ細胞およびＩｇＭを時々産生するホモ接合性Ｐｒｋｄｃｓｃｉｄマウスとは異なり、Ｂ細胞およびＩｇＭを産生しないからである。これらは、ＣＤ３＋またはＴ細胞レセプター（ＴＣＲ）α−β陽性細胞を有さず、そして変異マウスの胸腺は、ヘテロ接合性または野生型の同胞よりも１５〜１３０倍少ない細胞を含む。胸腺細胞はＣＤ８−ＣＤ４−であり、そしてＩＬ−２レセプター陽性であり得る。ホモ接合性変異Ｒａｇ１マウス由来の脾臓および骨髄は、ＩｇＭ染色細胞もＩｇＤ染色細胞も含まない。このことは、成熟Ｂ細胞が存在しないことを示している。これらのデータおよび他のデータが、Ｂ細胞およびＴ細胞の発生がこれらのマウスの早期段階において停止されていることを示唆する。Ｖ（Ｄ）Ｊ組み換えを行う能力がないことに起因して、変異Ｒａｇ２アレルについてホモ接合性のマウスは、ＣＤ８−胸腺細胞またはＢ２２０＋／ＣＤ４３＋プロＢ細胞段階においてＴ細胞成熟およびＢ細胞成熟の発生停止を示す。Ｒａｇ１またはＲａｇ２アレルについて変異したマウス系統は、市販されている。
【００２２】
劣性ｈｒアレルについてホモ接合性（Ｈｒｈｒ）であり、かつ劣性ｓｃｉｄアレルについてホモ接合性（Ｐｒｋｄｃｓｃｉｄ）である無毛の免疫不全マウスは、無毛のマウスとｓｃｉｄマウスとを交配することによって産生され得る。例示的な無毛のマウス系統はＣｒｌ：ＳＫＨ１−Ｈｒｈｒであり、例示的なｓｃｉｄマウス系統は、Ｃｒｌ：ＨＡ−Ｐｒｋｄｃｓｃｉｄである。Ｆ１交配から得られる子孫は、劣性ｈｒアレルおよび劣性ｓｃｉｄアレルについてヘテロ接合性である。このヘテロ接合性の子孫は、次いで、異種交配され、変異をホモ接合性状態に戻し始め得る。無毛のＦ２マウスは、次いで、表現型、すなわちその被毛の欠失に基づいて、選択される。次いで、尾部生検が無毛のマウスから離乳時に回収され得、そして遺伝子検査に提出されてｓｃｉｄ変異の接合性を決定し得る。ｓｃｉｄ変異についてホモ接合性またはヘテロ接合性のいずれかであるマウスが、交配のために選択され得、Ｆ３子孫を産生し得る。全てのマウス子孫は無毛であり、尾部生検が全てのマウスから採取されて、ｓｃｉｄアレルについての接合性を決定する。二重ホモ接合性マウスが、無毛ｓｃｉｄマウスのマウスコロニーを構築するために選択される。
【００２３】
特定の状況下では、ｓｃｉｄマウスが劣性ベージュアレルについてもホモ接合性（Ｌｙｓｔｂｇ）であることが有益である。例示的なｓｃｉｄベージュマウス系統は、ＣＢ１７．Ｂ６−ＰｒｋｄｃｓｃｉｄＬｙｓｔｂｇである。この動物は、本質的に上記のように産生され得る。Ｆ２子孫は、表現型、すなわち、すなわちその被毛の欠失に基づいて、選択される。次いで、尾部生検が無毛のマウスから離乳時に回収され得、そして遺伝子検査に提出されてｓｃｉｄ変異の接合性を決定し得る。血液塗抹標本（ｂｌｏｏｄ  ｓｍｅａｒ）が、ベージュ変異についてホモ接合性の動物を同定するのに使用され得る。ｓｃｉｄ変異についてホモ接合性またはヘテロ接合性のいずれかであり、かつベージュ変異についてホモ接合性のマウスが、交配のために選択され得、Ｆ３子孫を産生し得る。三重ホモ接合性マウスが、無毛ｓｃｉｄ−ベージュマウスのコロニーの構築のために選択される。
【００２４】
別の実施形態において、劣性ｈｒアレルについてホモ接合性（Ｈｒｈｒ）であり、かつ変異Ｒａｇアレルについてホモ接合性である無毛の免疫不全マウスが、無毛のマウスと、変異Ｒａｇアレルについてホモ接合性のマウスとを交配させることによって産生され得る。変異Ｒａｇアレルを含む例示的なマウス系統としては、市販のマウス系統Ｂ６．１２９Ｓ７−Ｒａｇ１ｔｍ１Ｍｏｍ／Ｊおよび１２９Ｓ６／ＳｖＥｖＴａｃ−Ｒａｇ２ｔｍ１Ｆｗａが挙げられる。Ｆ１交配から得られる子孫は、劣性ｈｒアレルおよび変異Ｒａｇアレルについてヘテロ接合性である。上記のように、このヘテロ接合性の子孫が異種交配され、ホモ接合性状態に変異を戻し始め、そして無毛のＦ２マウスが、表現型、すなわちその被毛の欠失に基づいて、選択される。尾部生検が無毛のマウスから離乳時に回収され得、そして遺伝子検査に提出されて変異Ｒａｇアレルの接合性を決定し得る。変異Ｒａｇアレルについてホモ接合性またはヘテロ接合性のいずれかであるマウスが、交配のために選択され、Ｆ３子孫を産生し得る。このＦ３マウスは、変異Ｒａｇアレルの接合性を決定するために、遺伝子型決定され得る。二重ホモ接合性マウスが、無毛Ｒａｇマウスのマウスコロニーを構築するために選択される。
【００２５】
本明細書中に記載の無毛の免疫不全マウスモデルは、各々が劣性ｈｒアレルについてホモ接合性（Ｈｒｈｒ）であり、かつＢリンパ球前駆細胞およびＴリンパ球前駆細胞の両方の分化を中断する変異についてホモ接合性のマウスである、雄性マウスと雌性マウスとを交配することによって、マウスコロニーとして維持され得る。無毛の免疫不全雄性マウスと、無毛の免疫不全雌性マウスとを交配させることができることにより、全てが無毛かつ免疫不全の子孫を生じる。
【００２６】
本明細書中に記載の無毛の免疫不全マウスモデルは、Ｂ細胞欠損およびＴ細胞欠損の両方を含む。その結果、これらのマウスモデルは、免疫応答性のマウスには脅威をもたらさない種々の生物による感染に感受性である。死亡および／または臨床的疾病に加えて、そのような感染は、移植された腫瘍の成長を阻害する、その無毛の免疫不全マウスの残存している宿主防御機構における応答を引き起こし得る。さらに、本明細書中に記載の無毛の免疫不全マウスにおける異種移植片研究は、化学療法化合物の使用を含み得る。化学療法化合物は、好中球のような白血球の産生を抑制し得る。この白血球は、細菌の侵入（ｃｈａｌｌｅｎｇｅ）に対する迅速な免疫応答において重要な役割を果たしており、このことは、特定の細菌および他の感染性生物（これらの例は本明細書中に記載されている）がマウスに存在しないことの必要性を強調する。したがって、本明細書中に記載の無毛の免疫不全マウスモデルは、好ましくは、例えば病原性細菌、真菌、寄生生物およびウイルスのような病原体を排除した様式で、交配され、飼育され、そして輸送される。したがって、この動物は、病原体が存在しない条件下で、交配され、飼育され、輸送され、そしてさもなければ維持される。
【００２７】
特定の実施形態において、本明細書中に記載の無毛の免疫不全マウスモデルには、臨床的疾患または準臨床的感染を引き起こす病原体（例えば、病原性細菌、ウイルス、真菌または寄生生物）が存在しない。１つの実施形態において、本明細書中に記載の無毛の免疫不全マウスモデルには、マウスロタウイルス（ＥＤＩＭ）、センダイ（ＳＥＮＤ）、マウスサイトメガロウイルス（ＭＣＭＶ）、マウス肝炎ウイルス（ＭＨＶ）、マウスノロウイルス（ＭＮＶ）、マウスパルボウイルス（ＭＰＶ１−４）、マウス微小ウイルス（ＭＶＭ）、マウス胸腺ウイルス（ＭＴＬＶ）、タイレルマウス脳脊髄炎ウイルス（ＴＭＥＶ）、Ｋウイルス（Ｋ）、マウスポックスウイルス（エクトロメリア）、乳酸デヒドロゲナーゼ上昇ウイルス（ＬＤＶ）、ハンタウイルス、マウス肺炎ウイルス（ＰＶＭ）、レオウイルス１型および３型（ＲＥＯ）、マウスアデノウイルス（ＭＡＶ−１およびＭＡＶ−２）、リンパ球脈絡髄膜炎ウイルス（ＬＣＭＶ）、およびポリオーマウイルス（ＰＯＬＹ）からなる群より選択されるウイルスを含む、臨床的疾患または準臨床的感染を引き起こし得るウイルスが存在しない。
【００２８】
別の実施形態において、本明細書中に記載の無毛の免疫不全マウスモデルには、
【００２９】
【数１】
0005595287.tif 000002
【００３０】
からなる群より選択される細菌を含む、臨床的疾患または準臨床的感染を引き起こし得る細菌が存在しない。
【００３１】
別の実施形態において、本明細書中に記載の無毛の免疫不全マウスモデルには、Ｅｎｃｅｐｈａｌｉｔｏｚｏｏｎ  ｃｕｎｉｃｕｌｉ（ＥＣＵＮ）およびＰｎｅｕｍｏｃｙｓｔｉｓからなる群より選択される真菌を含む、臨床的疾患または準臨床的感染を引き起こし得る真菌が存在しない。
【００３２】
別の実施形態において、本明細書中に記載の無毛の免疫不全マウスモデルには、外部および内部多細胞および単細胞寄生生物からなる群より選択される寄生生物を含む、臨床的疾患または準臨床的感染を引き起こし得る寄生生物が存在しない。
【００３３】
特定の実施形態において、上記無毛の免疫不全マウスモデルは、例えば、マウスロタウイルス（ＥＤＩＭ）、センダイ（ＳＥＮＤ）、マウスサイトメガロウイルス（ＭＣＭＶ）、マウス肝炎ウイルス（ＭＨＶ）、マウスノロウイルス（ＭＮＶ）、Ｅｎｃｅｐｈａｌｉｔｏｚｏｏｎ  ｃｕｎｉｃｕｌｉ（ＥＣＵＮ）、マウスパルボウイルス（ＭＰＶ１−４）、マウス微小ウイルス（ＭＶＭ）、Ｋウイルス（Ｋ）、乳酸デヒドロゲナーゼ上昇ウイルス（ＬＤＶ）、ハンタウイルス、レオウイルス１型および３型（ＲＥＯ）、マウスアデノウイルス（ＭＡＶ−１およびＭＡＶ−２）、リンパ球脈絡髄膜炎ウイルス（ＬＣＭＶ）、ポリオーマウイルス（ＰＯＬＹ）、タイレルマウス脳脊髄炎ウイルス（ＴＭＥＶ、ＧＤ−７）、エクトロメリア（Ｅｃｔｒｏ）、
【００３４】
【数２】
0005595287.tif 000003
【００３５】
を含む、臨床的疾患または準臨床的感染を引き起こし得る感染性生物のパネルについて試験される。
【実施例】
【００３６】
以下の実施例は、本明細書中に記載の無毛の免疫不全マウスモデルの産生および特徴付けを考察する。
【００３７】
（実施例１：無毛ｓｃｉｄマウスモデル）
劣性ｈｒアレルについてホモ接合性（Ｈｒｈｒ）であり、かつ劣性ｓｃｉｄアレルについてホモ接合性（Ｐｒｋｄｃｓｃｉｄ）の無毛の免疫不全マウスを、雄性の無毛マウス（系統Ｃｒｌ：ＳＫＨ１−Ｈｒｈｒ）と、雌性のｓｃｉｄマウス（系統Ｃｒｌ：ＨＡ−Ｐｒｋｄｃｓｃｉｄ）とを交配することによって作製した。この２つの系統を交配する前に、各々一匹ずつを、遺伝的非近交系ストックとして維持した。Ｆ１交配から得られた子孫は、劣性ｈｒアレルおよび劣性ｓｃｉｄアレルについてヘテロ接合性であった。このヘテロ接合性子孫を、次いで異種交配して、変異をホモ接合性状態に戻し始めた。無毛のＦ２マウスを、次いで、表現型、すなわちその被毛の欠失に基づいて選択した。尾部生検を無毛のマウスから離乳時に回収し、遺伝子検査に提出してｓｃｉｄ変異の接合性を決定した。ｓｃｉｄ変異についてホモ接合性またはヘテロ接合性のいずれかであるマウスを、交配のために選択し、Ｆ３子孫を産生させた。全てのマウス子孫は無毛であり、尾部生検を全てのマウスから採取して、ｓｃｉｄアレルについての接合性を決定した。二重ホモ接合性マウスを、無毛ｓｃｉｄマウスのマウスコロニーを構築するために選択した。
【００３８】
（実施例２：無毛Ｒａｇ１マウスモデル）
劣性ｈｒアレルについてホモ接合性（Ｈｒｈｒ）であり、かつ変異Ｒａｇ１アレルについてホモ接合性（Ｒａｇ１ｔｍ１Ｍｏｍ）の無毛の免疫不全マウスを、雄性の無毛マウス（系統Ｃｒｌ：ＳＫＨ１−Ｈｒｈｒ）と、雌性の変異Ｒａｇ１アレルについてホモ接合性のマウス（系統Ｂ６．１２９Ｓ７−Ｒａｇ１ｔｍ１Ｍｏｍ／Ｊ）とを交配することによって作製する。Ｆ１交配から得られる子孫は、劣性ｈｒアレルおよび変異Ｒａｇ１アレルについてヘテロ接合性である。このヘテロ接合性子孫を、次いで異種交配して、変異をホモ接合性状態に戻し始める。無毛のＦ２マウスを、次いで、表現型、すなわちその被毛の欠失に基づいて選択する。尾部生検を無毛のマウスから離乳時に回収し、遺伝子検査に提出して変異Ｒａｇ１アレルの接合性を決定する。変異Ｒａｇ１アレルについてホモ接合性またはヘテロ接合性のいずれかであるマウスを、交配のために選択し、Ｆ３子孫を産生させる。Ｆ３子孫は無毛であることが予想され、これらを遺伝子型決定して、変異Ｒａｇ１アレルの接合性を決定する。二重ホモ接合性マウスを、無毛Ｒａｇ１マウスのマウスコロニーを構築するために選択する。
【００３９】
（実施例３：無毛Ｒａｇ２マウスモデル）
劣性ｈｒアレルについてホモ接合性（Ｈｒｈｒ）であり、かつＲａｇ２アレルにおける標的化ヌル変異についてホモ接合性の無毛の免疫不全マウスを、雄性の無毛マウス（系統Ｃｒｌ：ＳＫＨ１−Ｈｒｈｒ）と、雌性のＲａｇ２アレルにおける標的化ヌル変異についてホモ接合性のマウス（系統１２９Ｓ６／ＳｖＥｖＴａｃ−Ｒａｇ２ｔｍ１Ｆｗａ）とを交配することによって作製する。Ｆ１交配から得られる子孫は、劣性ｈｒアレルおよびＲａｇ２アレルにおけるヌル変異についてヘテロ接合性である。このヘテロ接合性子孫を、次いで異種交配して、変異をホモ接合性状態に戻し始める。無毛のＦ２マウスを、次いで、表現型、すなわちその被毛の欠失に基づいて選択する。尾部生検を無毛のマウスから離乳時に回収し、遺伝子検査に提出してヌルＲａｇ２アレルの接合性を決定する。ヌルＲａｇ２アレルについてホモ接合性またはヘテロ接合性のいずれかであるマウスを、交配のために選択し、Ｆ３子孫を産生させる。Ｆ３子孫は無毛であることが予想され、これらを遺伝子型決定して、ヌルＲａｇ２アレルの接合性を決定する。二重ホモ接合性マウスを、無毛Ｒａｇ２マウスのマウスコロニーを構築するために選択する。
【００４０】
（参照による援用）
以下の特許文献および科学的引用文献の各々の全開示が、全ての目的のために参考として援用される：米国特許第５，５８３，２７８号；米国特許第５，８５９，３０７号；およびＢｏｓｍａ，Ｇ．Ｃ．ｅｔ  ａｌ．，Ｎａｔｕｒｅ  ３０１：５２７−５３０（１９８３）。矛盾する場合は、任意の定義も含めて本願が優先する。
【００４１】
（等価物）
本発明は、本発明の主旨または本質的特徴から逸脱することなく、他の具体的形態において具体化され得る。それゆえ上記の実施形態は、本明細書中に記載の発明について限定するものではなく、むしろ全ての側面において例示的なものであるとみなされるべきである。したがって、本発明の範囲は、上記の説明よりもむしろ、添付の特許請求の範囲によって示され、そして特許請求の範囲の意味および均等な範囲内に入る全ての変更は、特許請求の範囲に包含されることが意図される。